【手続補正書】
【提出日】平成30年1月31日(2018.1.31)
【手続補正１】
【補正対象書類名】特許請求の範囲
【補正対象項目名】全文
【補正方法】変更
【補正の内容】
【特許請求の範囲】
【請求項１】
演出部材と、その演出部材を第１位置および第２位置の間で変位させる変位手段と、その変位手段に駆動力を付与する駆動手段と、を備えた遊技機において、
前記変位手段は、ベース部材と、そのベース部材に一端側が回転可能に接続されると共に前記演出部材が他端側に変位可能に配設されるアーム体と、そのアーム体の前記一端側を中心とする回転によりスライド変位可能に前記ベース部材に配設され、前記ベース部材に対する前記演出部材の姿勢を維持する維持手段と、を備え、
前記演出部材は、前記維持手段のスライド変位に伴って前記第１位置と前記第２位置との間でスライド変位され、
前記演出部材が、前記第１位置または前記第２位置に配置された状態では、正面視における前記アーム部材の前方に前記維持手段または前記演出部材が配置されていることを特徴とする遊技機。
【請求項２】
基板ボックスを備えることを特徴とする請求項１記載の遊技機。
【手続補正２】
【補正対象書類名】明細書
【補正対象項目名】０００７
【補正方法】変更
【補正の内容】
【０００７】
この目的を達成するために請求項１記載の遊技機は、演出部材と、その演出部材を第１位置および第２位置の間で変位させる変位手段と、その変位手段に駆動力を付与する駆動手段と、を備えるものであり、前記変位手段は、ベース部材と、そのベース部材に一端側が回転可能に接続されると共に前記演出部材が他端側に変位可能に配設されるアーム体と、そのアーム体の前記一端側を中心とする回転によりスライド変位可能に前記ベース部材に配設され、前記ベース部材に対する前記演出部材の姿勢を維持する維持手段と、を備え、前記演出部材は、前記維持手段のスライド変位に伴って前記第１位置と前記第２位置との間でスライド変位され、前記演出部材が、前記第１位置または前記第２位置に配置された状態では、正面視における前記アーム部材の前方に前記維持手段または前記演出部材が配置されている。
【手続補正３】
【補正対象書類名】明細書
【補正対象項目名】０００８
【補正方法】変更
【補正の内容】
【０００８】
請求項２記載の遊技機は、請求項１記載の遊技機において、基板ボックスを備える。
【手続補正４】
【補正対象書類名】明細書
【補正対象項目名】００１１
【補正方法】削除
【補正の内容】
【手続補正５】
【補正対象書類名】明細書
【補正対象項目名】０９１９
【補正方法】変更
【補正の内容】
【０９１９】
１０              パチンコ機（遊技機）
１００，１０１，１０２，１０３，１０４ 基板ボックス
２１０            背面ケース（ベース部材）
３１０，２３１０，３３１０，４３１０，５３１０，６３１０  変位部材
３１１ａ          突設ピン（被案内部、可動機構の一部）
３１１ｂ          ストッパ面（規制手段の一部、変位規制手段の一部）
３１２            回転ベース
３１３            回転体（第２変位部材）
３１４ａ          長穴（案内溝、可動機構の一部）
３１４ｂ          ストッパ面（規制手段の一部、変位規制手段の一部）
３１４ｃ          スライダ保持部（連結部分の一部）
３１５ｃ          スライダ保持部（連結部分の一部）
３１５            第１ラック（ラック）
３２０Ｌ          一側部材
３２０Ｒ，１０３２０Ｒ，１３３２０Ｒ  他側部材
３３１，１０３３１，１５３３１，１６３３１，２０３３１，２１３３１，２２３３１  背面ベース（対向部材、ベース部材、カバー部材）
３３１ｂ          ラック軸（案内手段の一部、直動規制手段の一部、突設部、第２係合部）
３３１ｃ          第１開口（開口部）
３３１ｄ          第２開口（開口部）
３３２，１０３３２，２２３３２  中間ベース（ベース部材、カバー部材）
３４１            駆動モータ（駆動手段）
３５１            第１ピニオン（ピニオン）
３６３            クランク歯車（クランク機構の一部、回転体、伝達手段の一部）
３６３ａ          偏心ピン
３６４，２０３６４，２１３６４  第２ラック（ラック、対象部材）
３６４ａ          案内溝（案内手段の一部、被案内部）
３６４ｂ          ラック軸（クランク機構の一部、案内溝）
３６５ａ          第２ピニオン（ピニオン）
３６６，１１３６６  付勢ばね（付勢手段）
３６７            ローラー（回転当接部材、当接部材）
３６７ｂ          フランジ部（止板部材）
３７０            介設部材（連接部材）
４２０            背面ベース（ベース部材、カバー部材）
４２２ａ          上ラック軸（連結部、突設部）
４２２ｂ          下ラック軸（連結部、突設部）
４３１            駆動モータ（駆動手段）
４３３            ラック
４３３ｃ          上案内溝（開口部、被案内部）
４３３ｄ          下案内溝（開口部、被案内部）
４３５            上アーム体（アーム体）
４３６            下アーム体（アーム体）
４４０Ｒ１，４４０Ｒ２  円環分割体（規制手段の一部、第３変位部材、演出部材）
４４０Ｌ１，４４０Ｌ２  円環分割体（規制手段の一部、第３変位部材、演出部材）
４５０            姿勢規定部材（規定手段の一部、スライド体、維持手段の一部）
４６０            スライド機構（ベース部材の一部）
４６２            案内棒（案内軸）
４８０            カバー体（カバー部材、ベース部材）
４９１            位置決め凸部
４９１ａ          係合凹部（係合部または被係合部）
４９２            位置決め凹部
４９２ａ          係合凸部（被係合部または係合部）
２６１０          ボールジョイント（可動機構の一部）
２６２０          付勢ばね（弾性体、可動機構の一部）
３６３０，５６３０  ゴム状弾性体（弾性体、可動機構の一部）
７３１１ｅ        ローラー受け部（規制手段の一部、変位規制手段の一部）
７６４１          アーム体（規制手段の一部、変位規制手段の一部）
８６４１          基部（規制手段の一部、変位規制手段の一部）
８６４２          挿通部（規制手段の一部、変位規制手段の一部）
９６５２ａ〜９６５２ｅ  磁石（付勢手段の一部）
９６５１          金属棒（付勢手段の一部）
１０３３１ｅ      スリット部（案内手段）
１０３６７        ローラー（回転当接部、変位当接部材、当接部材）
１０３６７ｂ      第１フランジ部（止板部材）
１０３６７ｃ      第２フランジ部（止板部材）
１１６６１        ローラー（変位当接部材、当接部材）
１３６７１        伸縮アクチュエータ（当接部材駆動手段）
１５３３１ｇ      第１規制部（案内手段の一部）
１５３３１ｈ      第２規制部（案内手段の一部）
１６６８１        凹部（直動規制手段の一部、第１係合部）
１７４９３ａ      窪み部（係合部または被係合部）
１７４９５        ボールプランジャ機構
１７４９５ａ      ボール部（被係合部または係合部）
１８４５３        保持部（規制手段の一部、変位規制手段の一部）
１９９１          磁石（規制手段の一部、変位規制手段の一部）
１９９２          金属板（規制手段の一部、変位規制手段の一部）
２０３３１ｂ      ラック軸（突起部）
２０３６４ａ      案内溝（被案内部）
２０６８１        凹部（第１係合部、直動規制手段の一部）
２０６８２        ボール（直動規制手段の一部）
２１３６１        歯車（伝達手段の一部）
２１３６３        クランク歯車（伝達手段の一部）
２２３３１ｂ      ラック軸（連結部の一部）
２２３３２ｕ      連結突部（連結部の一部）
２３７００        ボールねじ機構
２３７１０        ナット
２３７２０        ねじ軸
２３７３０        ボール
２４７４０        ゴムブッシュ（防振基体）
２５７６３        ローラー部材
２６７７１        固定爪（固定部材）
Ｐ                案内棒（棒状体）
Ｓ                スライダ（連結部分の一部）
Ｓｃｒ            ねじ（連結部の一部）